(57)【要約】【課題】被捕集物を撒き散らすことなく捕集することができる吸引捕集装置を提供すること。【解決手段】本体筐体の前部に開口形成された吸込口を有する吸込手段によって被捕集面上の被捕集物を吸い込み捕集する吸引捕集装置において、前記本体筐体は前記吸込口よりも下方に配される吹出口を有して被捕集面に沿って前記吹出口から前方に向けて気流を吹き出す吹出手段を備え、前記吸込口から吸い込まれる気流の速度の大きさを前記吹出口から吹き出される気流の速度の大きさよりも大きくして、前記吹出口から吹き出された気流が前記吸込口から吸い込まれるようにしたこととする。【選択図】図２
2012016572.tif 000002
【特許請求の範囲】
【請求項１】
本体筐体の前部に開口形成された吸込口を有する吸込手段によって被捕集面上の被捕集物を吸い込み捕集する吸引捕集装置において、前記本体筐体は前記吸込口よりも下方に配される吹出口を有して被捕集面に沿って前記吹出口から前方に向けて気流を吹き出す吹出手段を備え、前記吸込口から吸い込まれる気流の速度の大きさを前記吹出口から吹き出される気流の速度の大きさよりも大きくして、前記吹出口から吹き出された気流が前記吸込口から吸い込まれるようにしたことを特徴とする吸引捕集装置。
【請求項２】
本体筐体の前部に開口形成された吸込口を有する吸込手段によって被捕集面上の被捕集物を吸い込み捕集する吸引捕集装置において、前記本体筐体は前記吸込口よりも下方に配される吹出口を有して被捕集面に沿って前記吹出口から前方に向けて気流を吹き出す吹出手段を備え、前記吸込口から吸い込まれる気流の風量の大きさを前記吹出口から吹き出される気流の風量の大きさよりも大きくして、前記吹出口から吹き出された気流が前記吸込口から吸い込まれるようにしたことを特徴とする吸引捕集装置。
【請求項３】
前記本体筐体は被捕集面に対して所定の隙間を有して配されるとともに、前記吹出口を前記吸込口よりも後方に配して前記吹出口から前方に向けて前記隙間を流通する気流が吹き出されることを特徴とする請求項１又は請求項２に記載の吸引捕集装置。
【請求項４】
本体筐体に開口形成された吸込口を有する吸込手段によって被捕集面上の被捕集物を吸い込み捕集する吸引捕集装置において、前記本体筐体は前記吸込口よりも上方に配される吹出口を有して被捕集面に向かって前記吹出口から前方に向けて気流を吹き出す吹出手段を備え、前記吸込口から吸い込まれる気流の速度の大きさを前記吹出口から吹き出される気流の速度の大きさよりも大きくして、前記吹出口から吹き出された気流が前記吸込口から吸い込まれるようにしたことを特徴とする吸引捕集装置。
【請求項５】
本体筐体に開口形成された吸込口を有する吸込手段によって被捕集面上の被捕集物を吸い込み捕集する吸引捕集装置において、前記本体筐体は前記吸込口よりも上方に配される吹出口を有して被捕集面に向かって前記吹出口から前方に向けて気流を吹き出す吹出手段を備え、前記吸込口から吸い込まれる気流の風量の大きさを前記吹出口から吹き出される気流の風量の大きさよりも大きくして、前記吹出口から吹き出された気流が前記吸込口から吸い込まれるようにしたことを特徴とする吸引捕集装置。
【請求項６】
前記吸込口は前記本体筐体の前部に形成されることを特徴とする請求項４又は請求項５に記載の吸引捕集装置。
【請求項７】
前記本体筐体は被捕集面に対して所定の隙間を有して前記吸込口が底面に配されることを特徴とする請求項４〜請求項６のいずれか１項に記載の吸引捕集装置。
【請求項８】
前記吸込口は前記被捕集面に平行な方向に延びるスリット状に形成されることを特徴とする請求項１〜請求項７のいずれか１項に記載の吸引捕集装置。
【請求項９】
前記吸込口から吸い込まれる気流の流入方向を被捕集面に対して略平行にし、前記吹出口から吹き出された気流が前記吸込口の前方で向きを変えて前記吸込口から吸い込まれることを特徴とする請求項１〜請求項８のいずれか１項に記載の吸引捕集装置。
【請求項１０】
前記吹出口を複数設けることを特徴とする請求項１〜請求項９のいずれか１項に記載の吸引捕集装置。
【請求項１１】
複数の前記吹出口は対向配置され、対向する一の前記吹出口と他の前記吹出口とから吹き出される気流が衝突して前方に導かれることを特徴とする請求項１０に記載の吸引捕集装置。
【請求項１２】
前記吹出口から吹き出される気流が前記吸込手段の排気から成ることを特徴とする請求項１〜請求項１１のいずれか１項に記載の吸引捕集装置。
【発明の詳細な説明】
【技術分野】
【０００１】
本発明は、被捕集物を捕集する吸引捕集装置に関するものであり、特に吸込手段と吹出手段を有する吸引捕集装置に関する。
【背景技術】
【０００２】
一般に、塵や埃等を吸い込み捕集する装置として電気掃除機やロボットクリーナーが普及している。例えば電気掃除機は電気掃除機本体の内部に電動送風機が設けられ、電動送風機の動作により吸込口から塵埃を含んだ空気を吸い込む。吸い込まれた空気はフィルタを通すことにより塵埃を捕集し、フィルタを通過した塵埃が除去された空気が電動掃除機から排出される。このような電気掃除機には塵埃の吸引効率を向上させるために電動掃除機から排出される排気の一部を電気掃除機の本体内部で循環させて吸込口に設けられた吹出口から吹き出す機構を有するものがある。
【０００３】
従来の吸引捕集装置は特許文献１に開示されている。この吸引捕集装置は開口した吸気口に噴出ノズルが設けられ、噴出ノズルは配管部を介してエアポンプと接続されている。電動送風機が動作を開始すると、吸込口から気流が吸い込まれる。同時にエアポンプに圧縮空気が溜まり始め、任意の圧力以上になるとバルブが開いて圧縮空気は配管部を伝って噴射ノズルから噴射される。そして、噴出ノズルから噴射された高速気流により清掃面に付着した塵埃や凸凹の奥にある塵埃が吹き飛ばされ、吹き飛ばした塵埃が吸気口から吸い込まれる。これにより、効率よく塵埃を捕集することができる。
【先行技術文献】
【特許文献】
【０００４】
【特許文献１】特開２００１−３２１３０５号公報
【発明の概要】
【発明が解決しようとする課題】
【０００５】
しかし、上記従来の吸引捕集装置は、吸気口が噴射ノズルよりも高速気流の噴射方向後方に配されている。よって、塵埃を吸気口から吸い込むためには塵埃を高く舞い上げる必要があり、吸気口により吸い込むことができなかった塵埃が撒き散らされることになるという問題があった。また、塵埃が撒き散らされることを防ぐため開口部に傘状部を有するようにすることが開示されているが、該構成では壁際において傘状部が壁に当たることにより壁際の塵埃を吸い込むことができないという問題があった。
【０００６】
本発明は、上述した問題点に鑑み被捕集物を撒き散らすことなく捕集することができる吸引捕集装置を提供することを目的とする。
【課題を解決するための手段】
【０００７】
上記目的を達成するために本発明の吸引捕集装置は、本体筐体の前部に開口形成された吸込口を有する吸込手段によって被捕集面上の被捕集物を吸い込み捕集する吸引捕集装置において、前記本体筐体は前記吸込口よりも下方に配される吹出口を有して被捕集面に沿って前記吹出口から前方に向けて気流を吹き出す吹出手段を備え、前記吸込口から吸い込まれる気流の速度の大きさを前記吹出口から吹き出される気流の速度の大きさよりも大きくして、前記吹出口から吹き出された気流が前記吸込口から吸い込まれるようにしたことを特徴としている。
【０００８】
上記目的を達成するために本発明の吸引捕集装置は、本体筐体の前部に開口形成された吸込口を有する吸込手段によって被捕集面上の被捕集物を吸い込み捕集する吸引捕集装置において、前記本体筐体は前記吸込口よりも下方に配される吹出口を有して被捕集面に沿って前記吹出口から前方に向けて気流を吹き出す吹出手段を備え、前記吸込口から吸い込まれる気流の風量の大きさを前記吹出口から吹き出される気流の風量の大きさよりも大きくして、前記吹出口から吹き出された気流が前記吸込口から吸い込まれるようにしたことを特徴としている。
【０００９】
この構成によると、吸引捕集装置が駆動されると本体筐体の前部に形成された吸込口から外気が吸い込まれ、吹出手段によって空気が吹出口から被捕集面に沿って吹き出される。また、被捕集面上の被捕集物は吹出口から吹き出された気流に巻き込まれ被捕集面に沿って流れる。そして、吸込口から吸い込まれる気流の速度又は風量の大きさは吹出口から吹き出される気流の速度又は風量の大きさよりも大きいため、吹出口から吹き出された気流は吸い込まれる気流の一部となって吸込口により吸い込まれる。
【００１０】
また本発明は、前記本体筐体は被捕集面に対して所定の隙間を有して配されるとともに、前記吹出口を前記吸込口よりも後方に配して前記吹出口から前方に向けて前記隙間を流通する気流が吹き出されることが望ましい。
【００１１】
この構成によると、吸引捕集装置が駆動されると吹出口から本体筐体と被捕集面との隙間を流通する気流が吹き出される。また、吹出口は吸込口よりも後方に配されているため、吹出口から吹き出された気流は本体筐体と被捕集面とが対向する範囲にある被捕集物を気流に巻き込む。そして、吹出口から吹き出された気流は本体筐体の前方まで被捕集面に沿って流れて吸い込まれる気流の一部となって吸込口により吸い込まれる。
【００１２】
上記目的を達成するために本発明の吸引捕集装置は、本体筐体に開口形成された吸込口を有する吸込手段によって被捕集面上の被捕集物を吸い込み捕集する吸引捕集装置において、前記本体筐体は前記吸込口よりも上方に配される吹出口を有して被捕集面に向かって前記吹出口から前方に向けて気流を吹き出す吹出手段を備え、前記吸込口から吸い込まれる気流の速度の大きさを前記吹出口から吹き出される気流の速度の大きさよりも大きくして、前記吹出口から吹き出された気流が前記吸込口から吸い込まれるようにしたことを特徴としている。
【００１３】
上記目的を達成するために本発明の吸引捕集装置は、本体筐体に開口形成された吸込口を有する吸込手段によって被捕集面上の被捕集物を吸い込み捕集する吸引捕集装置において、前記本体筐体は前記吸込口よりも上方に配される吹出口を有して被捕集面に向かって前記吹出口から前方に向けて気流を吹き出す吹出手段を備え、前記吸込口から吸い込まれる気流の風量の大きさを前記吹出口から吹き出される気流の風量の大きさよりも大きくして、前記吹出口から吹き出された気流が前記吸込口から吸い込まれるようにしたことを特徴としている。
【００１４】
また本発明は、上記構成の吸引捕集装置において、前記吸込口は前記本体筐体の前部に形成されることが望ましい。
【００１５】
また本発明は、上記構成の吸引捕集装置において、前記本体筐体は被捕集面に対して所定の隙間を有して前記吸込口が底面に配されることが望ましい。
【００１６】
また本発明は、上記構成の吸引捕集装置において、前記吸込口は前記被捕集面に平行な方向に延びるスリット状に形成されることが望ましい。
【００１７】
また本発明は、上記構成の吸引捕集装置において、前記吸込口から吸い込まれる気流の流入方向を被捕集面に対して略平行にし、前記吹出口から吹き出された気流が前記吸込口の前方で向きを変えて前記吸込口から吸い込まれることが望ましい。
【００１８】
また本発明は、上記構成の吸引捕集装置において、前記吹出口を複数設けることが望ましい。
【００１９】
また本発明は、上記構成の吸引捕集装置において、複数の前記吹出口は対向配置され、対向する一の前記吹出口と他の前記吹出口とから吹き出される気流が衝突して前方に導かれることが望ましい。
【００２０】
また本発明は、上記構成の吸引捕集装置において、前記吹出口から吹き出される気流が前記吸込手段の排気から成ることが望ましい。
【発明の効果】
【００２１】
本発明によると、吸込口から吸い込まれる気流の速度又は風量の大きさが吹出口から吹き出される気流の速度又は風量の大きさよりも大きいため、吹き出された気流は吸い込まれる気流の一部となって吸込口により吸い込まれる。この時、吹き出された気流は被捕集面上の被捕集物を該気流に巻き込んで吸い込まれる気流に合流する。従って、被捕集面上の被捕集物を撒き散らすことなく捕集することができる。
【図面の簡単な説明】
【００２２】
【図１】は、本発明の第１実施形態の吸引捕集装置を示す正面図である。
【図２】は、本発明の第１実施形態の吸引捕集装置を示す側面図である。
【図３】は、本発明の第１実施形態の吸引捕集装置の気流の移動ベクトル分布を解析した図である。
【図４】は、本発明の第２実施形態の吸引捕集装置を示す側面図である。
【図５】は、本発明の第３実施形態の吸引捕集装置を示す正面図である。
【図６】は、本発明の第４実施形態の吸引捕集装置を示す正面図である。
【図７】は、本発明の第５実施形態の吸引捕集装置を示す側面図である。
【図８】は、本発明の第６実施形態の吸引捕集装置を示す正面図である。
【図９】は、本発明の第６実施形態の吸引捕集装置を示す側面図である。
【図１０】は、本発明の第６実施形態の吸引捕集装置において、被捕集面における気流の流線を解析した図である。
【図１１】は、本発明の第７実施形態の吸引捕集装置を示す正面図である。
【図１２】は、本発明の第７実施形態の吸引捕集装置を示す側面図である。
【図１３】は、本発明の第１実施形態の吸引捕集装置の別の例を示す側面図である。
【図１４】は、本発明の第６実施形態の吸引捕集装置を壁際で使用した際の気流の流線を解析した図である。
【図１５】は、本発明の第６実施形態の別の例の吸引捕集装置を示す側面図である。
【発明を実施するための形態】
【００２３】
[第１実施形態]
以下に本発明の実施形態について図面を参照して説明する。但し、以下に示す実施形態は、本発明の技術的思想を具体化するために本発明の吸引捕集装置の一例を示すものであって、本発明を以下の吸引捕集装置に特定することを意図するものではなく、特許請求の範囲に含まれるその他の実施形態の吸引捕集装置にも等しく適応し得るものである。また、以下において説明する具体的な数値はあくまでも例示であり、発明の内容を限定するものではない。図１、図２は本発明の第１実施形態の吸引捕集装置を示す正面図及び側面図である。吸引捕集装置１は被捕集物を捕集する本体筐体２を備えている。吸引捕集装置１の本体筐体２は被捕集面１０に対して所定の隙間９を有して配される。そして、本体筐体２の被捕集面１０に対して直交する前面２ａには吸込口３が設けられ、吸込口３よりも下方且つ後方に吹出口４が設けられている。吸込口３は幅広い範囲から外気を吸い込むために被捕集面１０の略平行な方向に延びて前面２ａの横幅方向に広く開口して形成されている。吹出口４は気流を任意の速度で被捕集面１０に吹き出すためにスポット状に開口して形成されている。
【００２４】
吸込口３は吸込通路５を介して電動送風機６と接続されている。これにより吸込口３と吸込通路５と電動送風機６とは吸込口３から被捕集物とともに外気を吸い込む吸込手段を構成する。吹出口４は吸込口３と同じ方向に面して開口している。また、吹出口４は被捕集面１０に沿って気流を吹き出すためにやや被捕集面１０に向かって傾斜している。吹出口４は配管部８を介してエアポンプ７に接続されている。これにより吹出口４と配管部８とエアポンプ７とは被捕集面１０に沿って吹出口４から気流を吹き出す吹出手段を構成する。なお、エアポンプ７により圧縮される空気は図示しないフィルタにより塵埃等の被捕集物が取り除かれた空気となっている。
【００２５】
上記構成の吸引捕集装置１において、電動送風機６が駆動されると吸込口３から矢印Ａ１に示すように任意の速度で外気が吸い込まれる。また、エアポンプ７により圧縮された空気が矢印Ｂ１に示すように任意の速度で吹出口４から吹き出される。吹出口４から吹き出された気流は本体筐体２と被捕集面１０の隙間９を流通する。吹出口４から吹き出された気流は本体筐体２と被捕集面１０との隙間９を流通する際に本体筐体２の下方の被捕集面１０上の被捕集物を気流に巻き込んで吸込口３の前方に流通する。
【００２６】
この時、吸込口３から吸い込まれる気流の速度の大きさは吹出口４から吹き出される気流の速度の大きさよりも大きくなるように設定される。これにより、吸込口３と吹出口４とを含む一定の範囲内において空気の循環が発生し、被捕集面１０に沿って流れていた吹出口４から吹き出された気流の移動ベクトルが矢印Ｂ２に示すように上方に変換される。そして、吹出口４から吹き出された気流は吸込口３に吸い込まれる気流の一部となって吸込通路５に流入する。これにより、被捕集面１０上の塵埃が気流に含まれて捕集される。
【００２７】
加えて、吹出口４から吹き出された気流が本体筐体２と被捕集面１０の隙間９を流通して該隙間９に存在する被捕集物を気流に巻き込んで吸込口３の前方に吹き出すので、被捕集物を撒き散らすことなく捕集することができる。
【００２８】
なお、吹出口４を吸込口３よりも下方且つ後方のどの位置に設けるかは特に限定されない。図１３に示すように吹出口４から吹き出された気流が本体筐体２と被捕集面１０の隙間９を流通する時間を長くする（距離を長くする）ことによって、該隙間９に存在する被捕集物をより広範囲に渡って気流に巻き込んで吸込口３の前方に吹き出すので、多くの被捕集物を撒き散らすことなく捕集することができる。
【００２９】
図３は本実施形態において所定の速度差を設定した際の気流の移動ベクトル分布を解析した図である。吸い込む気流の速度を１７ｍ／ｓ、吹き出す気流の速度を１０ｍ／ｓとし、速度差を７ｍ／ｓとしている。これによれば、吸込口３の前方４０ｍｍ付近において吹き出された気流の移動ベクトルが上方に変換され、吸い込まれる気流に合流していることが確認できる。従って、吸込口３の前方４０ｍｍの範囲を捕集範囲とすることができる。
【００３０】
なお、捕集範囲は吹出口４の気流速度と吸込口３の気流速度の大きさを変更すること及び速度差を変更することによって任意の範囲に設定することができる。
【００３１】
また、被捕集面１０であるフローリングに被捕集物としてφ２ｍｍの発泡ビーズを置いた状態で吸込気流の速度を１７ｍ／ｓ、吹出気流の速度を１０ｍ／ｓとして吸引を行った。その結果、吸込口３の前方４０ｍｍ、幅１０ｍｍの捕集範囲において被捕集物を撒き散らすことなく全て吸い込むことができた。
【００３２】
本実施形態によると、吸込口３から吸い込まれる気流の速度の大きさが吹出口４から吹き出される気流の速度の大きさよりも大きいことにより、吹出口４から吹き出された気流が吸い込まれる気流の一部となって吸込口３により吸い込まれる。この時、吹き出された気流は被捕集面１０上の被捕集物を該気流に巻き込んで吸い込まれる気流に合流する。従って、被捕集面１０上の被捕集物を撒き散らすことなく捕集することができる。
【００３３】
また、吸込口３から吸い込まれる気流の流入方向を被捕集面１０に対して略平行にするので吹出口４から吹き出された気流が吸込口３の前方で向きを変えて吸込口３から吸い込まれる。これによって、捕集範囲を吸込口３の前方の一定範囲とすることができ、本体筐体２の前方の開放空間の塵埃を捕集することができる。
【００３４】
[第２実施形態]
図４は第２実施形態の吸引捕集装置を示す側面図である。説明の便宜上、前述の図１〜図２に示す第１実施形態と同様の部分には同一の符号を付している。本実施形態は吸引捕集装置１の本体筐体２と被捕集面１０との間に所定の隙間９を有しておらず、吹出口４が吸込口３よりも下方に配されている。その他の部分は第１実施形態と同様である。
【００３５】
本実施形態によると、第１実施形態と同様に被捕集面１０上の被捕集物を撒き散らすことなく捕集することができる。
【００３６】
[第３実施形態]
図５は第３実施形態の吸引捕集装置を示す正面図である。説明の便宜上、前述の図１〜図２に示す第１実施形態と同様の部分には同一の符号を付している。本実施形態は吸引捕集装置１の吹出口１１が被捕集面１０に平行な方向に延びるスリット状に形成されている。その他の部分は第１実施形態と同様である。
【００３７】
本実施形態によると、第１実施形態と同様の効果を得ることができる。加えて、吹出口４が被捕集面１０に平行な方向に延びるスリット状に形成されていることにより、気流を被捕集面１０に対して幅広く吹き出すことができる。これにより、気流が流れる被捕集面１０上の範囲が横幅方向に広い範囲になるので、被捕集面１０上の被捕集物を多く気流に巻き込むことができて吸引効率を向上させることができる。
【００３８】
[第４実施形態]
図６は第４実施形態の吸引捕集装置を示す正面図である。説明の便宜上、前述の図１〜図２に示す第１実施形態と同様の部分には同一の符号を付している。本実施形態は吸引捕集装置１の吹出口１４がスポット状に開口した形状を有する第１の吹出口１２と第２の吹出口１３からなっている。その他の部分は第１実施形態と同様である。
【００３９】
第１の吹出口１２と第２の吹出口１３とは吹き出される気流が衝突して前方に導かれるように対抗して配置されている。なお、気流が衝突する位置は気流の移動ベクトルが上方に変換される範囲であって、且つ本体筐体２から離れた吸込口３の前方とすることが望ましい。
【００４０】
上記構成の吸引捕集装置１において、電動送風機６が駆動されると第１の吹出口１２から吹き出される気流と第２の吹出口１３から吹き出される気流とが衝突することにより、気流の移動ベクトルを上方に変換する力が発生する。
【００４１】
本実施形態によると、第１実施形態と同様の効果を得ることができる。加えて、より少ない気流の吹き出し量で効率的に気流の移動ベクトルを上方に変換することができるので、エアポンプ７（図１参照）をより安価なものとすることができる。従って、吸引捕集装置１のコストを削減することができるとともに、消費電力を削減することができる。尚、第１〜第４実施形態においてエアポンプ７に替えて送風ファンを設けてもよい。
【００４２】
[第５の実施形態]
図７は第５実施形態の吸引捕集装置を示す側面図である。説明の便宜上、前述の図１〜図２に示す第１実施形態と同様の部分には同一の符号を付している。吸引捕集装置１の背面側に排気口１５が設けられ、電動送風機６と排気口１５は排気ダクト１６で接続されている。また、エアポンプ７（図１参照）は設けずに排気ダクト１６から分岐した配管部１７を設け、配管部１７を介して電動送風機６と吹出口４とが接続される構成としている。その他の部分は第１実施形態と同様である。
【００４３】
上記構成の吸引捕集装置１において、電動送風機６が駆動されると吸込口３から任意の速度で外気を吸い込む。吸込口３から吸い込まれた外気は図示しないフィルタにより被捕集物が取り除かれると排気ダクト１６を伝わって排気口１５から排気される。電動送風機６の一部は排気ダクト１６から分岐した配管部１７を伝わって吹出口４から吹き出される。
【００４４】
本実施形態によると、第１実施形態と同様に被捕集面１０上の被捕集物を撒き散らすことなく捕集することができる。加えて、電動送風機６の排気の一部を利用して吹出口４から気流を吹き出すことができるため、エアポンプなどの送風機を搭載する必要がなくなり部品点数を減らしてコストを削減することができる。また、エアポンプなどの送風機に使用する電力を削減できるため、消費電力を小さくすることができる。また、装置の軽量化を実現することができる。
【００４５】
なお、本実施形態においては、吸い込まれる気流の速度の大きさを吹き出される気流の速度の大きさよりも大きく設定することを実現するために排気口１５を有する構成としているが、吸込口３や吹出口４の形状を変更とすることにより上記目的を達成することができる場合には、排気口１５を有しない構成とすることもできる。
【００４６】
[第６実施形態]
図８、図９は第６実施形態の吸引捕集装置を示す正面図及び側面図である。説明の便宜上、前述の図１〜図２に示す第１実施形態と同様の部分には同一の符号を付している。本実施形態は吸引捕集装置１の吹出口２２がスポット状に開口した形状を有する第１の吹出口２０と第２の吹出口２１からなっている。また、第１の吹出口２０と第２の吹出口２１は共に吸込口３よりも上方に設けられている。なお、本実施形態においては第４実施形態と同様に本体筐体２と被捕集面１０との間に所定の隙間９を有していないが、所定の隙間９を有することとしてもよい。その他の部分は第１実施形態と同様である。
【００４７】
上記構成の吸引捕集装置１において、電動送風機６が駆動されると吸込口３から矢印Ｃ１に示すように任意の速度で外気が吸い込まれる。また、エアポンプ７により圧縮された空気が矢印Ｄ１に示すように任意の速度で第１の吹出口２０と第２の吹出口２１から被捕集面１０に向かって吹き出される。
【００４８】
この時、吸込口３から吸い込まれる気流の速度の大きさは第１の吹出口２０と第２の吹出口２１から吹き出される気流の速度の大きさよりも大きくなるように設定される。これにより、吸込口３と第１の吹出口２０及び第２の吹出口２１とを含む一定の範囲内において空気の循環が発生する。
【００４９】
図９を参照して詳説すると、被捕集面１０に到達（衝突）した気流の移動ベクトルは矢印Ｄ２に示すように吸込口３の前方方向に変換されて被捕集面１０に沿って流れる。次に被捕集面１０に沿って一定の距離を流れた気流の移動ベクトルは矢印Ｄ３に示すように吸込口３方向に変換される。そして、第１の吹出口２０と第２の吹出口２１から吹き出された気流は吸込口３に吸い込まれる気流の一部となって吸込通路５に流入する。これにより、被捕集面１０上の塵埃が気流に含まれて捕集される。
【００５０】
すなわち、第１の吹出口２０と第２の吹出口２１から吹き出された気流が吸込口３に吸い込まれる気流の一部となる際に本体筐体２と被捕集面１０の前方に存在する被捕集物を気流に巻き込むため、被捕集物を撒き散らすことなく捕集することができる。
【００５１】
図１０は本実施形態の吸引捕集装置において、被捕集面１０における気流の流線を解析した図である。図１０に示すように第１の吹出口２０と第２の吹出口２１から吹き出された気流は吸込口３の前方１０ｍｍ付近で被捕集面１０に到達（衝突）する。そして、被捕集面１０に到達（衝突）した気流は被捕集面１０に沿って吸込口３の前方方向に約３０ｍｍ流れる。
【００５２】
一方で、上述したように吸込口３と第１の吹出口２０及び第２の吹出口２１とを含む一定の範囲内において空気の循環が発生しているので、吸込口３の前方４０ｍｍ付近において気流の移動ベクトルが吸込口３方向に変換されて吸込口３に吸い込まれる気流に合流している。一方、吸込口３の前方４０ｍｍ付近において被捕集物を撒き散らす方向（吸込口３と反対方向）には気流の移動ベクトルが発生していない。このように、吸込口３の前方４０ｍｍ付近においては、吸込口３方向にのみ移動ベクトルが発生しているので、被捕集面１０上に存在する被捕集物を撒き散らすことなく捕集することができる。
【００５３】
なお、第１の吹出口２０と第２の吹出口２１から吹き出される気流の移動ベクトルが下方に変換されやすくするために、第１の吹出口２０と第２の吹出口２１から吹き出される気流が衝突して前方に導かれるように対抗して配置することとしてもよい。その時、気流が衝突する位置は衝突した気流が被捕集面１０に沿って前方に流れた後に当該気流の移動ベクトルが上方に変換される範囲であって、且つ本体筐体２から離れた吸込口３の前方とすることが望ましい。
【００５４】
本実施形態によると、第１実施形態と同様に被捕集面１０上の被捕集物を撒き散らすことなく捕集することができる。なお、本実施形態では吹出口２２が２つの吹出口（第１の吹出口２０と第２の吹出口２１）から構成されているが、１つの吹出口（第１実施形態の吹出口１）であってもよい。
【００５５】
[第７実施形態]
図１１、図１２は第７実施形態の吸引捕集装置を示す正面図及び側面図である。説明の便宜上、前述の図１〜図２に示す第１実施形態と同様の部分には同一の符号を付している。本実施形態は吸引捕集装置１の吹出口２２がスポット状に開口した形状を有する第１の吹出口２０と第２の吹出口２１からなっている。また、第１の吹出口２０と第２の吹出口２１は共に吸込口２３よりも上方に設けられている。また、吸込口２３が本体筐体２の底面２Ｂに形成されている。その他の部分は第１実施形態と同様である。
【００５６】
吸込口２３が筐体２の底面２Ｂに形成されていることによって、吸込口２３から吸い込まれる気流は、第１の吹出口２０と第２の吹出口２１から吹き出される気流（矢印Ｃ１）だけではなく、被捕集面１０と本体筐体２の隙間９において、吸込口２３の後方から吸込口２３に向う気流（矢印Ｃ２）が含まれる。
【００５７】
これによって、本体筐体２と被捕集面１０の隙間９であって、吸込口２３の後方に存在する被捕集物を気流に巻き込んで吸込口２３から捕集することができる。
【００５８】
本実施形態によると、第１実施形態と同様に被捕集面１０上の被捕集物を撒き散らすことなく捕集することができる。加えて、吸込口２３が本体筐体２の底面２Ｂに配置されていることにより、吸込口２３の前方だけでなく、吸込口２３の後方の塵埃等の被捕集物も効率的に集塵することができる。尚、第６実施形態及び第７実施形態においてエアポンプ７に替えて送風ファンを設けてもよい。また、第６実施形態及び第７実施形態において第５実施形態に示すようにエアポンプ７を設けないこととしてもよい。
【００５９】
また、第６実施形態及び第７実施形態においては吹出口２２（第１吹出口２０及び第２吹出口２１）から吹き出された気流が被捕集面に到達する地点よりも、吹出口２２から吹き出された気流の移動ベクトルが吸込口３、２３方向に変換される地点の方が吸込口３、２３の前方方向遠方の地点であることとしているが、例えば図１５に示す第６実施形態の別の例のように吹出口２２から吹き出された気流が被捕集面に到達する地点と、吹出口２２から吹き出された気流の移動ベクトルが吸込口３、２３方向に変換される地点がほぼ同一の地点であることとしてもよい。
【００６０】
すなわち、矢印Ｆ１に示すように任意の速度で吹出口２２から被捕集面１０に向かって吹き出された気流が、被捕集面１０に到達したときに矢印Ｆ２に示すように気流の移動ベクトルが吸込口３方向に変換されるものであってもよい。その後吹出口２２から吹き出された気流は矢印Ｅ１に示すように任意の速度で吸込口３から吸い込まれる気流の一部になる。
【００６１】
[風速と風量の説明]
上記実施形態においては、吹出口及び吸込口の気流の速度に関して、吸込口から吸い込まれる気流の速度の大きさが吹出口から吹き出される気流の速度の大きさよりも大きい（吹出口の気流の速度＜吸込口の気流の速度）こととしているが、吸込口から吸い込まれる気流の風量が吹出口から吹き出される気流の風量よりも大きいと言い換えることができる。
【００６２】
なぜなら、気流の風量は吹出口又は吸込口の断面積と気流の速度（風速）を乗じて算出されるものだからである（気流の風量＝断面積×風速）。すなわち、吸込口の断面積の大きさは各図に示すように吹出口の断面積の大きさよりも大きく、また、吸込口から吸い込まれる気流の速度（風速）の大きさは上述の通り吹出口から吹き出される気流の速度（風速）の大きさよりも大きい。従って、吸込口から吸い込まれる気流の風量が吹出口から吹き出される気流の風量よりも大きくなる。
【００６３】
気流の風量は断面積及び／又は気流の速度（風速）を調整することによって所望の風量とすることができる。上述したように吸込口の断面積及び気流の速度（風速）を共に吹出口の断面積及び気流の速度（風速）よりも大きくすることによって吸込口の気流の風量を吹出口の気流の風量よりも大きくすることとしてもよいが、例えば吸込口の気流の速度（風速）は吹出口の気流の速度（風速）よりも小さいが、吸込口の断面積を吹出口の断面積よりも大きくすることによって吸込口の気流の風量を吹出口の気流の風量よりも大きくすることとしてもよい。なお、第６実施形態の吸引集塵装置において吸込口３から吸い込まれる気流の風量は０．５ｍ3／ｍｉｎとなるように設定されており、吹出口２２から吹き出される気流の風量は０．００２ｍ3／ｍｉｎとなるように設定されている。
【００６４】
[壁際における集塵効果の説明]
図１４は本発明の吸引捕集装置を壁際で使用した際の気流の流線を解析した図である。図１４は第６実施形態の吸引捕集装置１を使用したものであるが、その他の実施形態の吸引捕集装置１を使用しても同様の集塵効果を奏する。
【００６５】
図１４において吸込口３と壁面Ｗとの間は３０ｍｍになっている。第１の吹出口２０と第２の吹出口２１から吹き出された気流は吸込口３の前方約１０ｍｍの地点で被捕集面１０に到達して被捕集面１０に沿って吸込口３の前方に向かって流れる。また、被捕集面１０に沿って流れた気流は壁面Ｗに到達（衝突）して気流の移動ベクトルが反対方向（吸込口３方向）に変換される。そして、移動ベクトルが吸込口３の方向に変換された気流は吸込口３から吸い込まれる気流に合流している。これにより、壁際、隅、角等の掃除をすることが困難な場所に存在する被捕集物を撒き散らすことなく効率的に捕集することができる。
【産業上の利用可能性】
【００６６】
本発明は気流を吹き出す手段と気流を吸い込む手段を有する吸引捕集装置に利用することができる。
【符号の説明】
【００６７】
１・・・吸引捕集装置、２・・・筐体、３，２３・・・吸込口、４，１１，１４，２２・・・吹出口、５・・・吸込通路、６・・・電動送風機、７・・・エアポンプ、８，１７・・・配管部、９・・・隙間、１０・・・被捕集面、１２，２０・・・第１の吹出口、１３，２１・・・第２の吹出口、１５・・・排気口、１６・・・排気ダクト
【図１】
2012016572.tif 000003
【図２】
2012016572.tif 000004
【図４】
2012016572.tif 000005
【図５】
2012016572.tif 000006
【図６】
2012016572.tif 000007
【図７】
2012016572.tif 000008
【図８】
2012016572.tif 000009
【図９】
2012016572.tif 000010
【図１１】
2012016572.tif 000011
【図１２】
2012016572.tif 000012
【図１３】
2012016572.tif 000013
【図１５】
2012016572.tif 000014
【図３】
2012016572.tif 000015
【図１０】
2012016572.tif 000016
【図１４】
2012016572.tif 000017
【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
本体筐体の前部に開口形成された吸込口を有する吸込手段によって被捕集面上の被捕集物を吸い込み捕集する吸引捕集装置において、
前記本体筐体は前記吸込口よりも下方に配される吹出口を有して被捕集面に沿って前記吹出口から前記本体筐体の前方に向けて気流を吹き出す吹出手段を備え、
前記吸込口から吸い込まれる気流の速度の大きさを前記吹出口から吹き出される気流の速度の大きさよりも大きくして、前記吹出口から前記本体筐体の前方へ吹き出された気流が前記本体筐体の前方で、前記吸込口から吸い込まれる気流に合流するようにしたことを特徴とする吸引捕集装置。
【請求項２】
前記本体筐体は被捕集面に対して所定の隙間を有して配されるとともに、前記吹出口を前記吸込口よりも後方に配して前記吹出口から前方に向けて前記隙間を流通する気流が吹き出されることを特徴とする請求項１に記載の吸引捕集装置。
【請求項３】
本体筐体に開口形成された吸込口を有する吸込手段によって被捕集面上の被捕集物を吸い込み捕集する吸引捕集装置において、
前記本体筐体は前記吸込口よりも上方に配される吹出口を有して被捕集面に向かって前記吹出口から前記本体筐体の前方に向けて気流を吹き出す吹出手段を備え、
前記吸込口から吸い込まれる気流の速度の大きさを前記吹出口から吹き出される気流の速度の大きさよりも大きくして、前記吹出口から前記本体筐体の前方へ吹き出された気流が前記本体筐体の前方で、前記吸込口から吸い込まれる気流に合流するようにしたことを特徴とする吸引捕集装置。
【請求項４】
前記吸込口は前記本体筐体の前部に形成されることを特徴とする請求項３に記載の吸引捕集装置。
【請求項５】
前記本体筐体は被捕集面に対して所定の隙間を有して前記吸込口が底面に配されることを特徴とする請求項３又は請求項４に記載の吸引捕集装置。
【請求項６】
前記吸込口は前記被捕集面に平行な方向に延びるスリット状に形成されることを特徴とする請求項１〜請求項５のいずれか１項に記載の吸引捕集装置。
【請求項７】
前記吸込口から吸い込まれる気流の流入方向を被捕集面に対して略平行にし、前記吹出口から吹き出された気流が前記吸込口の前方で向きを変えて前記吸込口から吸い込まれることを特徴とする請求項１〜請求項６のいずれか１項記載の吸引捕集装置。
【請求項８】
前記吹出口を複数設けることを特徴とする請求項１〜請求項７のいずれか１項に記載の吸引捕集装置。
【請求項９】
複数の前記吹出口は対向配置され、対向する一の前記吹出口と他の前記吹出口とから吹き出される気流が衝突して前方に導かれることを特徴とする請求項８に記載の吸引捕集装置。
【請求項１０】
前記吹出口から吹き出される気流が前記吸込手段の排気から成ることを特徴とする請求項１〜請求項９のいずれか１項に記載の吸引捕集装置。
【手続補正２】
【補正対象書類名】明細書
【補正対象項目名】０００７
【補正方法】変更
【補正の内容】
【０００７】
上記目的を達成するために本発明の吸引捕集装置は、本体筐体の前部に開口形成された吸込口を有する吸込手段によって被捕集面上の被捕集物を吸い込み捕集する吸引捕集装置において、前記本体筐体は前記吸込口よりも下方に配される吹出口を有して被捕集面に沿って前記吹出口から前記本体筐体の前方に向けて気流を吹き出す吹出手段を備え、前記吸込口から吸い込まれる気流の速度の大きさを前記吹出口から吹き出される気流の速度の大きさよりも大きくして、前記吹出口から前記本体筐体の前方へ吹き出された気流が前記本体筐体の前方で、前記吸込口から吸い込まれる気流に合流するようにしたことを特徴としている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
この構成によると、吸引捕集装置が駆動されると本体筐体の前部に形成された吸込口から外気が吸い込まれ、吹出手段によって空気が吹出口から被捕集面に沿って吹き出される。また、被捕集面上の被捕集物は吹出口から吹き出された気流に巻き込まれ被捕集面に沿って流れる。そして、吸込口から吸い込まれる気流の速度の大きさは吹出口から吹き出される気流の速度の大きさよりも大きいため、吹出口から吹き出された気流は吸い込まれる気流の一部となって吸込口により吸い込まれる。
【手続補正５】
【補正対象書類名】明細書
【補正対象項目名】００１２
【補正方法】変更
【補正の内容】
【００１２】
上記目的を達成するために本発明の吸引捕集装置は、本体筐体に開口形成された吸込口を有する吸込手段によって被捕集面上の被捕集物を吸い込み捕集する吸引捕集装置において、前記本体筐体は前記吸込口よりも上方に配される吹出口を有して被捕集面に向かって前記吹出口から前記本体筐体の前方に向けて気流を吹き出す吹出手段を備え、前記吸込口から吸い込まれる気流の速度の大きさを前記吹出口から吹き出される気流の速度の大きさよりも大きくして、前記吹出口から前記本体筐体の前方へ吹き出された気流が前記本体筐体の前方で、前記吸込口から吸い込まれる気流に合流するようにしたことを特徴としている。
【手続補正６】
【補正対象書類名】明細書
【補正対象項目名】００１３
【補正方法】削除
【補正の内容】
【手続補正７】
【補正対象書類名】明細書
【補正対象項目名】００２１
【補正方法】変更
【補正の内容】
【００２１】
本発明によると、吸込口から吸い込まれる気流の速度の大きさが吹出口から吹き出される気流の速度の大きさよりも大きいため、吹き出された気流は吸い込まれる気流の一部となって吸込口により吸い込まれる。この時、吹き出された気流は被捕集面上の被捕集物を該気流に巻き込んで吸い込まれる気流に合流する。従って、被捕集面上の被捕集物を撒き散らすことなく捕集することができる。
【手続補正８】
【補正対象書類名】明細書
【補正対象項目名】００６２
【補正方法】変更
【補正の内容】
【００６２】
なぜなら、気流の風量は吹出口又は吸込口の断面積と気流の速度（風速）を乗じて算出されるものだからである（気流の風量＝断面積×風速）。すなわち、吸込口の断面積の大きさは各図に示すように吹出口の断面積の大きさよりも大きく、また、吸込口から吸い込まれる気流の速度（風速）の大きさは上述の通り吹出口から吹き出される気流の速度（風速）の大きさよりも大きい。従って、吸込口から吸い込まれる気流の風量が吹出口から吹き出される気流の風量よりも大きくなる。従って本願発明は、本体筐体の前部に開口形成された吸込口を有する吸込手段によって被捕集面上の被捕集物を吸い込み捕集する吸引捕集装置において、前記本体筐体は前記吸込口よりも下方に配される吹出口を有して被捕集面に沿って前記吹出口から前記本体筐体の前方に向けて気流を吹き出す吹出手段を備え、前記吸込口から吸い込まれる気流の風量の大きさを前記吹出口から吹き出される気流の風量の大きさよりも大きくして、前記吹出口から前記本体筐体の前方へ吹き出された気流が前記本体筐体の前方で、前記吸込口から吸い込まれる気流に合流するようにしたことを特徴とする吸引捕集装置と言い換えることができる。また、本願発明は、本体筐体に開口形成された吸込口を有する吸込手段によって被捕集面上の被捕集物を吸い込み捕集する吸引捕集装置において、前記本体筐体は前記吸込口よりも上方に配される吹出口を有して被捕集面に向かって前記吹出口から前記本体筐体の前方に向けて気流を吹き出す吹出手段を備え、前記吸込口から吸い込まれる気流の風量の大きさを前記吹出口から吹き出される気流の風量の大きさよりも大きくして、前記吹出口から前記本体筐体の前方へ吹き出された気流が前記本体筐体の前方で、前記吸込口から吸い込まれる気流に合流するようにしたことを特徴とする吸引捕集装置と言い換えることができる。